(57)【特許請求の範囲】
【請求項１】
人の動きを検知する人感検知手段と、該人感検知手段によって人の動きを検知した場合には、操作パネルを待機状態から通電状態に復帰させる制御手段と、
を具備する電気炊飯器であって、
前記制御手段は、前記人感検知手段の周囲温度が第一設定温度以上となった場合には、前記操作パネルのタッチキーの入力によって、前記操作パネルを前記待機状態から前記通電状態に復帰させる、
電気炊飯器。
【請求項２】
請求項１に記載の電気炊飯器であって、
前記制御手段は、前記人感検知手段の周囲温度が前記第一設定温度以上となった後に、さらに該第一設定温度より低い第二設定温度未満となった場合には、前記操作パネルのタッチキーの入力によって、前記操作パネルを前記待機状態から前記通電状態に復帰させない、
電気炊飯器。
【請求項３】
請求項１又は２に記載の電気炊飯器であって、
通風によって冷却される基板と、該基板の周囲温度を検知する基板温度検知手段と、を備え、
前記人感検知手段の周囲温度は、前記基板温度検知手段によって検知される前記基板の周囲温度とする、
電気炊飯器。
【発明の詳細な説明】
【技術分野】
【０００１】
本発明は、電気炊飯器の技術に関し、より詳細には人感センサーを具備する電気炊飯器の技術に関する。
【背景技術】
【０００２】
電気炊飯器は、米を炊いて飯にするための電気式の調理器具である。電気炊飯器には、電気炊飯器を操作するタッチキー、或いは、電気炊飯器の状態を示す液晶表示パネル等が配置される操作パネルが設けられている。操作パネルは、人が操作しないと予測した場合には、タッチキーの入力が無効となる、或いは、液晶表示パネルのＬＥＤ（Ｌｉｇｈｔ  Ｅｍｉｔｔｉｎｇ  Ｄｉｏｄｅ）が消灯する等の省エネ状態で待機している（待機状態）。
【０００３】
電気炊飯器には、人の動きを検知する人感センサーが設けられているものがある（例えば、特許文献１）。電気炊飯器では、人感センサーを用いて人の動きを検知した場合には、人が操作パネルにて何らかの操作を行うものと予測して、操作パネルを待機状態から通電状態へ復帰させている。
【０００４】
しかし、夏季等に気温が上昇し、電気炊飯器（人感センサー）の周囲温度が人体温度と略同等以上の場合には、人感センサーによって人の動きを検知することが困難となる。人感センサーによって人の動きを検知することができない状況では、操作パネルが待機状態から通電状態へ復帰しないおそれがある。
【先行技術文献】
【特許文献】
【０００５】
【特許文献１】特開２００９−１２４８９５号公報
【発明の概要】
【発明が解決しようとする課題】
【０００６】
本発明の解決しようとする課題は、人感センサーで検知できない状況であっても操作パネルを待機状態から通電状態に復帰させることができる電気炊飯器を提供することである。
【課題を解決するための手段】
【０００７】
本発明の解決しようとする課題は以上の如くであり、次にこの課題を解決するための手段を説明する。
【０００８】
即ち、第一の発明は、人の動きを検知する人感検知手段と、該人感検知手段によって人の動きを検知した場合には、操作パネルを待機状態から通電状態に復帰させる制御手段と、を具備する電気炊飯器であって、前記制御手段は、前記人感検知手段の周囲温度が第一設定温度以上となった場合には、前記操作パネルのタッチキーの入力によって、前記操作パネルを前記待機状態から前記通電状態に復帰させるものである。
【０００９】
第一の発明によれば、人感センサーで検知できない状況であっても操作パネルを待機状態から通電状態に復帰させることができる。
【００１０】
第二の発明は、前記制御手段は、前記人感検知手段の周囲温度が前記第一設定温度以上となった後に、さらに該第一設定温度より低い第二設定温度未満となった場合には、前記操作パネルのタッチキーの入力によって、前記操作パネルを前記待機状態から前記通電状態に復帰させないものである。
【００１１】
第二の発明によれば、人感センサーで検知できる状況では、人感センサーを用いて操作パネルを待機状態から通電状態に復帰させることができる。また、操作パネルを待機状態から通電状態に復帰させる条件が瞬間的に切り替わることを防止できる。
【００１２】
第三の発明は、第一又は第二の発明に係る電気炊飯器であって、通風によって冷却される基板と、該基板の周囲温度を検知する基板温度検知手段と、を備え、前記人感検知手段の周囲温度は、前記基板温度検知手段によって検知される前記基板の周囲温度とするものである。
【００１３】
第三の発明によれば、人感センサーの周囲温度を既存の基板温度センサーによって検知することによって、新たにセンサーを設けることなく、人感センサーの周囲温度と略同等な温度を検知することができる。
【発明の効果】
【００１４】
本発明の電気炊飯器によれば、人感センサーで検知できない状況であっても操作パネルを待機状態から通電状態に復帰させることができる。
【図面の簡単な説明】
【００１５】
【図１】電気炊飯器の構成を示す側面断面図。
【図２】操作パネルの構成を示す平面図。
【図３】電気炊飯器の制御構成を示したブロック図。
【図４】通電モード及びスタンバイモードの作用を示す平面図。
【図５】操作パネル状態制御の流れを示すフロー図。
【図６】同じくフロー図。
【図７】操作パネル状態制御の作用を示すグラフ図。
【発明を実施するための形態】
【００１６】
図１を用いて、電気炊飯器１００の構成について説明する。
なお、図１では、電気炊飯器１００の構成を側面断面視によって表している。また、以下では、図１の右上に示す上下方向又は前後方向に従って説明するものとする。
【００１７】
電気炊飯器１００は、本発明の電気炊飯器に係る実施形態である。電気炊飯器１００は、米を炊いて飯にするための電気式の調理器具である。電気炊飯器１００は、上側に開口部Ｕを有する炊飯器本体１０と、炊飯器本体１０の上部で開口部Ｕを開閉可能に連結される蓋体２０と、を具備している。
【００１８】
炊飯器本体１０は、外ケース１１と、内鍋１２と、内ケース１３と、ワークコイル１４と、を具備している。外ケース１１は、例えば合成樹脂製であって、炊飯器本体１０を被装している。内鍋１２は、金属鍋或いは土鍋等であって、外ケース１１の内部に着脱自在にセットされ、炊飯器本体１０に収容されている。内ケース１３は、内鍋１２の形状に沿った保護枠であって、内鍋１２の外側に設けられている。
【００１９】
ワークコイル１４は、内鍋１２を誘導加熱するものであって、内ケース１３の底部外面及び底部から側部にかけての湾曲部外面に設けられている。ワークコイル１４は、内ケース１３の底部及び湾曲部の各位置に、内ケース１３の底部中央を中心として同心円状に設けられている。ワークコイル１４が通電されることによって、内鍋１２に渦電流が誘起され、内鍋１２が加熱される。
【００２０】
なお、本実施液形態では、ワークコイル１４によって内鍋１２が加熱される構成としたが、これに限定されない。例えば、電気ヒータによって内鍋１２が加熱される構成であっても良い。
【００２１】
炊飯器本体１０は、制御基板３０と、冷却フィン３３と、冷却ファン３４と、基板温度検知手段としての基板温度センサー５２と、を具備している。制御基板３０、冷却フィン３３、冷却ファン３４及び基板温度センサー５２は、炊飯器本体１０の後方に配置されている。
【００２２】
制御基板３０は、ワークコイル１４等を備えたＩＨ回路と、ＩＨ回路のＩＧＢＴを駆動するＩＧＢＴ駆動回路と、保温ヒータ等を駆動制御するヒータ駆動回路と、電源電圧整流用のダイオードブリッジ及びＣＲ回路よりなる整流平滑回路と、を具備している。
【００２３】
冷却フィン３３は、制御基板３０の回路を構成する発熱素子等を冷却するものである。冷却ファン３４は、冷却フィン３３の近傍を通過する通風経路を形成し、冷却フィン３３の熱を放熱させるものである。基板温度センサー５２は、制御基板３０の周囲温度を検知するものである。基板温度センサー５２は、制御基板３０の近傍であって、冷却ファン３４が形成する通風経路に設けられている。
【００２４】
蓋体２０は、蓋上部材２１と、蓋下部材２２と、操作パネル４０と、を具備している。蓋上部材２１は、樹脂製であって、蓋体２０の外周面を形成している。操作パネル４０は、電気炊飯器１００の操作盤であって、蓋上部材２１の上面の前側に設けられている。操作パネル４０の下方には、操作基板４１が設けられている。操作パネル４０及び操作基板４１について詳しくは後述する。
【００２５】
図２を用いて、操作パネル４０の構成について説明する。
なお、図２（Ａ）では、操作パネル４０の構成を平面視にて表している。また、図２（Ｂ）では、操作パネル４０の構成を側面断面視にて表している。
【００２６】
操作パネル４０は、上述したように、電気炊飯器１００の操作盤であって、蓋上部材２１の上面に設けられている。操作パネル４０は、操作基板４１と、タッチキー４２と、液晶表示パネル４３と、制御手段としての操作コントローラ（以下、コントローラ）５０と、人感検知手段としての人感センサー５１と、傾斜センサー５３と、を具備している。
【００２７】
操作基板４１は、操作パネル４０の下側に設けられ、蓋体２０の内部に収納されている。操作基板４１の表面又は裏面には、複数のタッチキー４２・・・４２、液晶表示パネル４３、人感センサー５１及び傾斜センサー５３及びコントローラ５０が設けられている。
【００２８】
タッチキー４２は、電気炊飯器１００の炊飯／調理／保温の各機能に対するタイマー予約、炊飯メニュー、保温メニュー又は加熱調理メニューの選択、或いは、それら各メニューに対応した加熱量、加熱パターン、保温温度又は保温時間等の選択設定操作を行うものである。
【００２９】
液晶表示パネル４３は、炊飯、調理（例えばパン発酵／焼きなど）、保温の各メニュー、設定された保温温度、設定保温時間、保温経過時間、現在時刻、タイマー炊飯予約時刻、炊飯完了、調理完了までの残時間、又はその他の各種必要事項を表示するものである。液晶表示パネル４３は、ＬＥＤ（Ｌｉｇｈｔ  Ｅｍｉｔｔｉｎｇ  Ｄｉｏｄｅ）によって点灯又は消灯される構成とされている。
【００３０】
コントローラ５０は、操作パネル４０を総合的に制御するものである。人感センサー５１は、人の動きを検知するセンサーであって、赤外線を利用して周囲温度と温度差のあるもの（人）が動いた場合に、温度差のあるものと周囲温度との温度変化を検知するものである。傾斜センサー５３は、蓋体２０の傾斜（蓋体２０が開いている）を検知するものである。
【００３１】
図３を用いて、電気炊飯器１００の制御構成について説明する。
なお、図３では、電気炊飯器１００の制御構成をブロック図によって表している。
【００３２】
操作基板４１において、コントローラ５０は、タッチキー４２と、液晶表示パネル４３と、人感センサー５１と、傾斜センサー５３と、に接続されている。また、コントローラ５０は、基板温度センサー５２に接続されている。
【００３３】
コントローラ５０は、後述する操作パネル状態制御Ｓ１００を実行する機能を有している。コントローラ５０は、基板温度センサー５２によって検知する基板温度Ｔｋを人感センサー５１の周囲温度として認識する機能を有している。
【００３４】
コントローラ５０は、傾斜センサー５３がＯＮの場合には、蓋体２０が開いていると判断し、傾斜センサー５３がＯＦＦの場合には、蓋体２０が閉じていると判断する機能を有している。
【００３５】
コントローラ５０は、人感センサー５１がＯＮの場合には、人が操作パネル４０を操作しようとしていると予測し、人感センサー５１がＯＦＦの場合には、人が操作パネル４０を操作しようとしている気配がないと予測する機能を有している。
【００３６】
図４を用いて、通電モード及びスタンバイモードの作用について説明する。
なお、図４（Ａ）では、通電モードの作用を平面視にて模式的に表している。また、図４（Ｂ）では、スタンバイモードの作用を平面視にて模式的に表している。
【００３７】
コントローラ５０は、操作パネル４０を、通電状態としての通電モード、或いは、待機状態としてのスタンバイモードとする機能を有している。コントローラ５０は、操作パネル４０を通電モードからスタンバイモードに「待機」させる、或いは、スタンバイモードから通常モードに「復帰」させる機能を有している。
【００３８】
通電モードでは、液晶表示パネル４３のＬＥＤが点灯する。また、通電モードでは、蓋体２０が開いている場合にはタッチキー４２の操作が無効であるものの、蓋体２０が閉じている場合にはタッチキー４２の操作が有効となる。一方、スタンバイモードでは、液晶表示パネル４３のＬＥＤが消灯し、タッチキー４２の操作が無効となる。つまり、スタンバイモードは、通電モードと比較して、大幅に電力消費を低減できるモードとなる。
【００３９】
図５を用いて、操作パネル状態制御Ｓ１００の流れについて説明する。
なお、図５では、操作パネル状態制御Ｓ１００の流れをフローチャートによって表している。
【００４０】
操作パネル状態制御Ｓ１００は、コントローラ５０が、操作パネル４０をスタンバイモードから通電モードへ復帰させる、或いは、操作パネル４０を通電モードからスタンバイモードへ待機させる制御である。
【００４１】
ステップＳ１１０において、コントローラ５０は、操作パネル４０が通電モードかどうかを確認し、操作パネル４０が通電モードの場合にはステップＳ１１１に移行し、操作パネル４０が通電モードではない場合（スタンバイモード）にはステップＳ１５１に移行する。
【００４２】
ステップＳ１１１において、コントローラ５０は、傾斜センサー５３がＯＮ（蓋体２０が開いている）かどうかを確認し、傾斜センサー５３がＯＮの場合にはステップＳ１２１に移行し、傾斜センサー５３がＯＦＦの（蓋体２０が閉じている）場合にはステップＳ１１２に移行する。
【００４３】
ステップＳ１１２において、コントローラ５０は、人感センサー５１がＯＮ（人が操作パネル４０を操作しようとしている）かどうかを確認し、人感センサー５１がＯＮの場合にはステップＳ１２２に移行し、人感センサー５１がＯＦＦの（人が操作パネル４０を操作しようとしている気配がない）場合にはステップＳ１１３に移行する。
【００４４】
ステップＳ１１３において、コントローラ５０は、通電モードが基準時間Ｔｓ（本実施形態では６０秒）経過したかどうかを確認し、通電モードが基準時間Ｔｓ経過した場合にはステップＳ１２３へ移行し、通電モードが基準時間Ｔｓを経過していない場合にはステップＳ１２４へ移行する。
【００４５】
ステップＳ１２１において、コントローラ５０は、操作パネル４０をそのまま通電モードとし、ステップＳ１３１に移行する。ステップＳ１３１において、コントローラ５０は、タッチキー４２の操作を無効とする。
【００４６】
ステップＳ１２２において、コントローラ５０は、操作パネル４０をそのまま通電モードとし、ステップＳ１３２に移行する。ステップＳ１３２において、コントローラ５０は、タッチキー４２の操作を有効とする。
【００４７】
ステップＳ１２３において、コントローラ５０は、操作パネル４０をスタンバイモードとして待機させ、ステップＳ１３３に移行する。ステップＳ１３３において、コントローラ５０は、タッチキー４２の操作を無効とする。
【００４８】
ステップＳ１２４において、コントローラ５０は、操作パネル４０をそのまま通電モードとし、ステップＳ１３４に移行する。ステップＳ１３４において、コントローラ５０は、タッチキー４２の操作を有効とする。
【００４９】
図６を用いて、引き続き操作パネル状態制御Ｓ１００の流れについて説明する。
なお、図６では、操作パネル状態制御Ｓ１００の流れをフローチャートによって表している。
【００５０】
ステップＳ１５１において、コントローラ５０は、傾斜センサー５３がＯＮかどうかを確認し、傾斜センサー５３がＯＮの場合にはステップＳ１６１に移行し、傾斜センサー５３がＯＦＦの場合にはステップＳ１５２に移行する。
【００５１】
ステップＳ１５２において、コントローラ５０は、人感センサー５１がＯＮかどうかを確認し、傾斜センサー５３がＯＮの場合にはステップＳ１６２に移行し、人感センサー５１がＯＦＦの場合にはステップＳ１５３に移行する。
【００５２】
ステップＳ１５３において、コントローラ５０は、基板温度Ｔｋが第一設定温度Ｔ１以上かどうかを確認し、基板温度Ｔｋが第一設定温度Ｔ１以上の場合にはステップＳ１５４へ移行し、基板温度Ｔｋが第一設定温度Ｔ１未満の場合にはステップＳ１５５へ移行する。
【００５３】
ステップＳ１５４において、コントローラ５０は、タッチキー４２が入力されたかどうかを確認し、タッチキー４２が入力された場合にはステップＳ１６３へ移行し、タッチキー４２が入力されていない場合にはステップＳ１６４へ移行する。
【００５４】
ステップＳ１５５において、コントローラ５０は、基板温度Ｔｋが一度第一設定温度Ｔ１以上となってから下降し、その後に第一設定温度よりも低い第二設定温度Ｔ２未満になったかどうかを確認し、基板温度Ｔｋが第二設定温度Ｔ２未満の場合にはステップＳ１６５へ移行し、基板温度Ｔｋが第二設定温度Ｔ２以上の場合にはステップＳ１５６へ移行する。
【００５５】
ステップＳ１５６において、コントローラ５０は、タッチキー４２が入力されたかどうかを確認し、タッチキー４２が入力された場合にはステップＳ１６６へ移行し、タッチキー４２が入力されていない場合にはステップＳ１６７へ移行する。
【００５６】
ステップＳ１６１において、コントローラ５０は、操作パネル４０を通電モードに復帰させ、ステップＳ１７１に移行する。ステップＳ１７１において、コントローラ５０は、タッチキー４２の操作を無効とする。
【００５７】
ステップＳ１６２において、コントローラ５０は、操作パネル４０を通電モードに復帰させ、ステップＳ１７２に移行する。ステップＳ１７２において、コントローラ５０は、タッチキー４２の操作を有効とする。
【００５８】
ステップＳ１６３において、コントローラ５０は、操作パネル４０を通電モードに復帰させ、ステップＳ１７３に移行する。ステップＳ１７３において、コントローラ５０は、タッチキー４２の操作を有効とする。
【００５９】
ステップＳ１６４において、コントローラ５０は、操作パネル４０をそのままスタンバイモードとして待機させ、ステップＳ１７４に移行する。ステップＳ１７４において、コントローラ５０は、タッチキー４２の操作を無効とする。
【００６０】
ステップＳ１６５において、コントローラ５０は、操作パネル４０をそのままスタンバイモードとして待機させ、ステップＳ１７５に移行する。ステップＳ１７５において、コントローラ５０は、タッチキー４２の操作を無効とする。
【００６１】
ステップＳ１６６において、コントローラ５０は、操作パネル４０を通電モードに復帰させ、ステップＳ１７６に移行する。ステップＳ１７６において、コントローラ５０は、タッチキー４２の操作を有効とする。
【００６２】
ステップＳ１６７において、コントローラ５０は、操作パネル４０をそのままスタンバイモードとして待機させ、ステップＳ１７７に移行する。ステップＳ１７７において、コントローラ５０は、タッチキー４２の操作を無効とする。
【００６３】
図７を用いて、操作パネル状態制御Ｓ１００の作用について説明する。
なお、図７では、操作パネル状態制御Ｓ１００の作用をグラフ図によって表している。また、図７の上方では、基板温度Ｔｋの変化を時系列で表し、図７の下方では、操作パネル４０がスタンバイモードから通電モードに復帰するための復帰条件をテーブルによって表している。
【００６４】
電気炊飯器１００において、例えば基板温度Ｔｋ（人感センサー５１の周囲温度）が上昇しているものとする。このとき、基板温度Ｔｋが第一設定温度Ｔ１未満では、人感センサー５１がＯＮとなる、或いは、蓋体２０が開けられることが復帰条件となる。
【００６５】
電気炊飯器１００において、例えば基板温度Ｔｋ（人感センサー５１の周囲温度）がさらに上昇しているものとする。このとき、基板温度Ｔｋが第一設定温度Ｔ１以上では、人感センサー５１がＯＮとなる、タッチキー４２が入力される、或いは、蓋体２０が開けられることが復帰条件となる。
【００６６】
電気炊飯器１００において、例えば基板温度Ｔｋ（人感センサー５１の周囲温度）が下降しているものとする。このとき、基板温度Ｔｋが第二設定温度Ｔ２未満では、人感センサー５１がＯＮとなる、或いは、蓋体２０が開けられることが復帰条件となる。
【００６７】
電気炊飯器１００の効果について説明する。
電気炊飯器１００によれば、人感センサー５１で検知できない状況であっても操作パネル４０をスタンバイモードから通電モードに復帰させることができる。
【００６８】
すなわち、人感センサー５１の周囲温度が人体温度と同等の略３５℃以上の場合には、人感センサー５１によって人の動きを検知することが困難であったものの、基板温度Ｔｋが第一設定温度Ｔ１以上となった場合には、タッチキー４２が入力されることによって、操作パネル４０をスタンバイモードから通電モードに復帰させることで、人感センサー５１で検知できない状況であっても操作パネル４０をスタンバイモードから通電モードに復帰させることができる。
【００６９】
電気炊飯器１００によれば、基板温度Ｔｋが第二設定温度Ｔ２未満となった場合には、基準時間Ｔｓが経過することによって、操作パネル４０を通電モードからスタンバイモードに待機させることによって、人感センサー５１で検知できる状況では、人感センサー５１を用いて操作パネル４０をスタンバイモードから通電モードに復帰させることができる。
【００７０】
電気炊飯器１００によれば、第一設定温度Ｔ１と第二設定温度Ｔ２とを別途設定することによって、操作パネル４０をスタンバイモードから通電モードに復帰させるそれぞれの条件（タッチキー４２の入力、或いは、人感センサー５１のＯＮ）が瞬間的に切り替わることを防止できる。
【００７１】
電気炊飯器１００によれば、人感センサー５１の周囲温度を基板温度センサー５２によって検知される基板温度Ｔｋと代替することによって、新たにセンサーを設けることなく、人感センサーの周囲温度と略同等な温度を検知することができる。
【符号の説明】
【００７２】
４０      操作パネル
４２      タッチキー
４３      液晶表示パネル
５０      コントローラ（制御手段）
５１      人感センサー（人感検知手段）
５２      基板温度センサー（基板温度検知手段）
１００    電気炊飯器
Ｔ１      第一設定温度
Ｔ２      第二設定温度
Ｔｋ      基板温度
【図１】
0006303932.tif 000002
【図２】
0006303932.tif 000003
【図３】
0006303932.tif 000004
【図４】
0006303932.tif 000005
【図５】
0006303932.tif 000006
【図６】
0006303932.tif 000007
【図７】
0006303932.tif 000008